【事件の表示】
　特許第３０５４９０８号「硬貨払出装置」の請求項１及び２に係る特許に対する特許異議の申立てについて、次のとおり決定する。
【結　論】
　訂正を認める。
　特許第３０５４９０８号の請求項１及び２に係る特許を取り消す。
【理　由】
１．手続の経緯
　特許第３０５４９０８号の請求項１及び２に係る発明についての出願は、平成５年１０月２２日に特許出願され、平成１２年４月１４日にその発明について特許権の設定登録がなされ、その後、その特許について、申立人・吉田春男より特許異議の申立がなされ、平成１３年３月２６日付けで取消しの理由が通知され、その指定期間内である平成１３年６月４日に訂正請求がなされたものである。
　
２．訂正の適否についての判断
（１）訂正の内容
　特許請求の範囲の請求項１における「前記金種別枚数の最大の金種の硬貨を優先する払出パターンを設定し」を「前記金種別枚数の最大の金種の硬貨を優先する払出パターンを予め設定し」と訂正する。
（２）訂正の目的の適否、新規事項の有無及び拡張・変更の存否
　上記訂正は、払出パターンの設定を、明細書の段落【００２９】から【００３２】の記載に基いて限定したものであるから、特許請求の範囲の減縮を目的とした明細書の訂正に該当し、新規事項の追加に該当せず、硬貨払出に要する時間を短縮する硬貨払出装置の提供という課題に変更を及ぼすものでもないから、実質的に特許請求の範囲を拡張又は変更するものではない。
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについての判断
（１）本件発明
　上記２．で示したように上記訂正が認められるから、本件の請求項１及び２に係る発明（以下、それぞれ「本件発明１」及び「本件発明２」という。）は、上記訂正に係る訂正明細書の特許請求の範囲の請求項１及び２に記載した事項により特定される次のとおりのものである。
「【請求項１】　複数の硬貨を金種別に蓄積する硬貨蓄積部と、
　前記硬貨蓄積部から予め設定された複数金種の硬貨を同時に払い出すことができる硬貨払出手段とを有する硬貨払出装置において、
　前記硬貨払出手段から払い出すべき硬貨の金種別枚数を調べ、前記硬貨払出手段からの硬貨の払い出しに際して、前記金種別枚数の最大の金種の硬貨を優先する払出パターンを予め設定し、該設定した払出パターンに基づき前記硬貨払出手段を制御する硬貨払出制御手段
　を具備することを特徴とする硬貨払出装置。
　【請求項２】　前記硬貨払出制御手段は、
　前記硬貨の払出額に対応して払い出すべき硬貨の金種別の払出枚数を決定する払出枚数決定手段と、
　前記払出枚数決定手段で決定した金種別の払出枚数の中の最大のものに対応する金種を検出する金種検出手段と、
　前記金種検出手段で検出された金種を優先して払い出す払出パターンを設定する払出パターン設定手段と、
　前記硬貨払出手段を前記払出パターン設定手段で設定された払出パターンにしたがって各硬貨を払い出すように制御する制御手段と
を具備する請求項１記載の硬貨払出装置。」
（２）引用刊行物に記載された発明
　当審が通知した取消しの理由で引用した刊行物（特開平１−１７７１９１号公報、以下、「引用刊行物」という。）には、硬貨払出装置に関するものであって、
　第２頁右上欄第１３行〜第３頁左上欄第２行に、
「【発明が解決しようとする問題点】
　しかしながら前記の方式の場合、硬貨払出部は複数金種を同時に払出すことが可能であるにもかかわらず、１枚ずつ硬貨を払出しているため、払出す硬貨枚数が多くなると、払出し終えるまでに多くの時間を要するという問題点がある。
　そこで本発明の目的はそれぞれ金種の異なる硬貨を所定の複数枚まで同時に払出し得るようにすることにより、払出すべき硬貨全体の払出し時間を短縮できるようにした硬貨払出装置を提供することにより、前記の問題点を解決することにある。
【問題点を解決するための手段】
　前記の問題点を解決するために本発明の装置は払出用の複数金種（５００円，１００円，５０円，１０円など）の硬貨を金種別に貯留する硬貨貯留手段（図外のコインチューブなど）と、
　前記金種別に設けられ、対応する選択払出指令を受けるつど、当該金種の硬貨を１つづつ前記硬貨貯留手段から払出す金種別硬貨払出手段（払出ソレノイドＳ，モータＭなど）とを備え、
　前記選択払出指令は前記払出用硬貨の全金種数のうちの所定の複数個（以下同時払出可能最大金種数という）まで同時にそれぞれ異なる前記金種別硬貨払出手段へ、選択して与え得るように構成されてなる硬貨払出装置において、
　予め所要払出金額を与えられ、払出の可能な硬貨の組合せであって、該金額に相当する硬貨の総枚数が最小となる組合せとなるような金種別の硬貨の所要払出枚数（以下金種別所要払出枚数という）を算出する金種別所要払出枚数算出手段（１Ａなど）と、
　前記金種別所要払出枚数の最多の金種から、順次この金種別所要払出枚数の少くなる順に、前記同時払出可能最大金種数までの各金種を選択し、この選択された金種に対応する前記金種別硬貨払出手段へ前記選択払出指令を与える選択払出指令出力手段（１Ｂなど）と、
　前記選択払出指令を送出したつど、この送出時に選択された金種についての前記金種別所要払出枚数を更新し、この新たな金種別所要払出枚数を含む各金種についての金種別所要払出枚数に基づいて、前記選択払出指令出力手段を介し次回の前記選択払出指令を出力させる手段（制御部１内の図外の手段など）と、を備えたものとする。
【作用】
　本発明は釣銭等として払出す硬貨のコインチューブ（硬貨貯留手段）別の枚数を予め算出しておき、その算出した枚数に対して、１回の払出毎に全払出回数が最小になる組合わせを算出して硬貨払出を制御するものである。」、
　第３頁左上欄第１９〜２０行に、
「次に第１図を説明すると、１はこの硬貨払出装置全体を制御する制御部でＣＰＵ等からなる。」、
　第３頁右下欄第２行〜第４頁左上欄第１３行に、
「次に第２図のゼネラルフローチャートを用い第１図の（制御部１の）硬貨払出動作の概略の手順を説明する。まず返金する金額（所要返金金額）を算出する（ステップ２０１）。その金額とコインチューブ毎の払出可能枚数を基にコインチューブ別の払出枚数を算出する（ステップ２０２）。この算出の理由は返金する金額を複数金種，同時に払出すために、まずその返金する金額をどのコインチューブから結果的に何枚払出すかを算出すれば、以後払出す硬貨の組合せが容易にできるからである。
　次にステップ２０３において全てのコインチューブ別の払出枚数の総和を計算し、０か否かのチェックを行う。０の時，すなわち払出す硬貨が無い場合はステップ２１０へ行き、硬貨払出動作を終了する。しかし０でない場合はステップ２０４へ行く。
　ステップ２０４においては硬貨払出指令を出力する時に用いる図外のメモリエリア（バッファ）としての払出指令バッファをクリアする。
　次にステップ２０５において、ステップ２０２にて作成したチューブ別払出枚数を基に払出す硬貨の最適な（即ち払出時間の総計が最短になる）組合せを算出し、この組合せとなった金種についての前述の硬貨払出指令バッファへビットセットする。そしてステップ２０６にてそのビットセットされた硬貨払出指令バッファに対応する払出ソレノイドＳとモータＭを駆動するように制御部１から該当するドライバ２へ駆動信号を出力して硬貨の払出動作を行う。
　その後、硬貨払出し指令バッファを基に各チューブの所要払出枚数を減算し（ステップ２０７）、返金する金額の減算（ステップ２０８），払出可能枚数の減算（ステップ２０９）を行いステップ２０３へ戻る。」、
　第５頁左上欄第５〜７行に、
「硬貨払出時間の総計を最短にし、より速く返金する金額を払出す効果が得られる。」、
とそれぞれ記載され、
　第１〜４図には、硬貨払出装置の実施例が示されている。
（３）対比・判断
　ア．本件発明１について
　　本件発明１と引用刊行物に記載された発明（以下、「引用発明」という。）とを対比すると、引用発明の「払出用の複数金種（５００円，１００円，５０円，１０円など）の硬貨を金種別に貯留する硬貨貯留手段（図外のコインチューブなど）」は、本件発明１の「複数の硬貨を金種別に蓄積する硬貨蓄積部」に相当し、以下同様に、「金種別に設けられ、対応する選択払出指令を受けるつど、当該金種の硬貨を１つづつ前記硬貨貯留手段から払出す金種別硬貨払出手段（払出ソレノイドＳ，モータＭなど）とを備え、前記選択払出指令は前記払出用硬貨の全金種数のうちの所定の複数個（以下同時払出可能最大金種数という）まで同時にそれぞれ異なる前記金種別硬貨払出手段へ、選択して与え得るように構成」が「硬貨蓄積部から予め設定された複数金種の硬貨を同時に払い出すことができる硬貨払出手段」に、「予め所要払出金額を与えられ、払出の可能な硬貨の組合せであって、該金額に相当する硬貨の総枚数が最小となる組合せとなるような金種別の硬貨の所要払出枚数（以下金種別所要払出枚数という）を算出する金種別所要払出枚数算出手段（１Ａなど）と、前記金種別所要払出枚数の最多の金種から、順次この金種別所要払出枚数の少くなる順に、前記同時払出可能最大金種数までの各金種を選択し、この選択された金種に対応する前記金種別硬貨払出手段へ前記選択払出指令を与える選択払出指令出力手段（１Ｂなど）」が「硬貨払出手段から払い出すべき硬貨の金種別枚数を調べ、前記硬貨払出手段からの硬貨の払い出しに際して、前記金種別枚数の最大の金種の硬貨を優先する払出パターンを設定し、該設定した払出パターンに基づき前記硬貨払出手段を制御する硬貨払出制御手段」に、それぞれ相当している。
　　したがって、両者は、
「複数の硬貨を金種別に蓄積する硬貨蓄積部と、
　前記硬貨蓄積部から予め設定された複数金種の硬貨を同時に払い出すことができる硬貨払出手段とを有する硬貨払出装置において、
　前記硬貨払出手段から払い出すべき硬貨の金種別枚数を調べ、前記硬貨払出手段からの硬貨の払い出しに際して、前記金種別枚数の最大の金種の硬貨を優先する払出パターンを設定し、該設定した払出パターンに基づき前記硬貨払出手段を制御する硬貨払出制御手段
　を具備する硬貨払出装置」において一致し、
　　金種別枚数の最大の金種の硬貨を優先する払出パターンに関し、本件発明１が「払出パターンを予め設定」するものであるのに対し、引用発明が、「選択払出指令を送出したつど、この送出時に選択された金種についての前記金種別所要払出枚数を更新し、この新たな金種別所要払出枚数を含む各金種についての金種別所要払出枚数に基づいて、前記選択払出指令出力手段を介し次回の前記選択払出指令を出力させる手段」を有し、かつ、「ステップ２０３」乃至「ステップ２０９」の手順を踏むことで選択払出指令に係る払出硬貨の組合せを決定するとされているところから、硬貨払出手段を動作させる毎に払出硬貨の組合せを決定しつつ払出パターンを設定するものであるという点で相違している。
　　以下、上記相違点について検討する。
　　本件発明１において、払出パターンを求めるための具体的な演算回路は特定されていないこと、また、どのようにすれば「払出パターンを予め設定」できるのかも明細書の発明の詳細な説明の項に明らかにされていないこと、さらに、本件特許の出願時の技術水準等を考慮すれば、本件発明１においても、払出パターンを求めるための演算は、引用発明に採用されているように、「全てのコインチューブ別の払出枚数の総和を計算し、０か否かのチェックを行う。０の時，すなわち払出す硬貨が無い場合はステップ２１０へ行き、硬貨払出動作を終了する。しかし０でない場合はステップ２０４へ行く。」とするステップ２０３、「硬貨払出指令を出力する時に用いる図外のメモリエリア（バッファ）としての払出指令バッファをクリアする」ステップ２０４、「ステップ２０２にて作成したチューブ別払出枚数を基に払出す硬貨の最適な（即ち払出時間の総計が最短になる）組合せを算出し、この組合せとなった金種についての前述の硬貨払出指令バッファへビットセットする」ステップ２０５、「硬貨払出し指令バッファを基に各チューブの所要払出枚数を減算」するステップ２０７、「返金する金額の減算」を行うステップ２０８、「払出可能枚数の減算」を行うステップ２０９、の一連のステップからなる「払出硬貨の組合せを求める演算」を所定回数繰り返すことにより実質的に行われるものであると考えるのが相当である。
　　そうである以上、上記相違点は、「払出硬貨の組合せを求める演算」を所定回数繰り返し行う際に、本件発明１のように、１回目の硬貨払出動作の前に予め連続的に一括して行う、いわば「一括処理方式」とするか、引用発明のように、各硬貨払出動作毎に１回ずつ行う、いわば「逐次処理方式」とするか、の単なる手法の相違として捉え得るものであって、コンピュータ処理を前提とする引用発明において、一括処理するか逐次処理するかは、当業者が必要に応じて適宜選択しうる設計的事項にすぎない。
　　そして、本件発明１の奏する効果は引用発明から当業者が予測しうる範囲内のものである。
　　したがって、本件発明１は、上記引用刊行物記載の発明に基いて当業者が容易に発明をすることができたものである。
　イ．本件発明２について
　　本件発明２は、本件発明１に、「硬貨払出制御手段は、硬貨の払出額に対応して払い出すべき硬貨の金種別の払出枚数を決定する払出枚数決定手段と、前記払出枚数決定手段で決定した金種別の払出枚数の中の最大のものに対応する金種を検出する金種検出手段と、前記金種検出手段で検出された金種を優先して払い出す払出パターンを設定する払出パターン設定手段と、硬貨払出手段を前記払出パターン設定手段で設定された払出パターンにしたがって各硬貨を払い出すように制御する制御手段とを具備する」との構成をさらに限定したものである。
　　本件発明２の上記限定した構成と引用発明とを対比すると、後者の「予め所要払出金額を与えられ、払出の可能な硬貨の組合せであって、該金額に相当する硬貨の総枚数が最小となる組合せとなるような金種別の硬貨の所要払出枚数（以下金種別所要払出枚数という）を算出する金種別所要払出枚数算出手段（１Ａなど）」が前者の「硬貨の払出額に対応して払い出すべき硬貨の金種別の払出枚数を決定する払出枚数決定手段」に相当し、以下同様に、「金種別所要払出枚数の最多の金種から、順次この金種別所要払出枚数の少くなる順に、前記同時払出可能最大金種数までの各金種を選択」する手段が「払出枚数決定手段で決定した金種別の払出枚数の中の最大のものに対応する金種を検出する金種検出手段」に、「この選択された金種に対応する前記金種別硬貨払出手段へ前記選択払出指令を与える選択払出指令出力手段（１Ｂなど）」が「金種検出手段で検出された金種を優先して払い出す払出パターンを設定する払出パターン設定手段」に、「選択払出指令を送出したつど、この送出時に選択された金種についての前記金種別所要払出枚数を更新し、この新たな金種別所要払出枚数を含む各金種についての金種別所要払出枚数に基づいて、前記選択払出指令出力手段を介し次回の前記選択払出指令を出力させる手段（制御部１内の図外の手段など）」が「硬貨払出手段を前記払出パターン設定手段で設定された払出パターンにしたがって各硬貨を払い出すように制御する制御手段」に、それぞれ相当している。
　　そうすると、本件発明２の上記限定した構成は、全て引用発明に含まれているものといえる。
　　したがって、本件発明２も本件発明１と同様に、上記引用刊行物記載の発明に基いて当業者が容易に発明をすることができたものである。
（４）むすび
　以上のとおりであるから、本件発明１及び２は、特許法第２９条第２項の規定により特許を受けることができない。
　したがって、本件発明１及び２についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年９月５日（２００１．９．５）
【訂正の要旨】
訂正の要旨
　特許請求の範囲の請求項１における「前記金種別枚数の最大の金種の硬貨を優先する払出パターンを設定し」を「前記金種別枚数の最大の金種の硬貨を優先する払出パターンを予め設定し」と訂正する。
（５４）【発明の名称】
硬貨払出装置
（５７）【特許請求の範囲】
　【請求項１】　複数の硬貨を金種別に蓄積する硬貨蓄積部と、
　前記硬貨蓄積部から予め設定された複数金種の硬貨を同時に払い出すことができる硬貨払出手段とを有する硬貨払出装置において、
　前記硬貨払出手段から払い出すべき硬貨の金種別枚数を調べ、前記硬貨払出手段からの硬貨の払い出しに際して、前記金種別枚数の最大の金種の硬貨を優先する払出パターンを予め設定し、該設定した払出パターンに基づき前記硬貨払出手段を制御する硬貨払出制御手段
　を具備することを特徴とする硬貨払出装置。
　【請求項２】　前記硬貨払出制御手段は、
　前記硬貨の払出額に対応して払い出すべき硬貨の金種別の払出枚数を決定する払出枚数決定手段と、
　前記払出枚数決定手段で決定した金種別の払出枚数の中の最大のものに対応する金種を検出する金種検出手段と、
　前記金種検出手段で検出された金種を優先して払い出す払出パターンを設定する払出パターン設定手段と、
　前記硬貨払出手段を前記払出パターン設定手段で設定された払出パターンにしたがって各硬貨を払い出すように制御する制御手段と
を具備する請求項１記載の硬貨払出装置。
【発明の詳細な説明】
　【０００１】
　【産業上の利用分野】
　この発明は自動販売等の各種自動サービス機器に用いられる硬貨払出装置に関し、特に複数種類の硬貨を同時払出可能な硬貨払出装置の硬貨払出時間を短縮するように改良した硬貨払出装置に関する。
　【０００２】
　【従来の技術】
　従来、自動販売等の各種自動サービス機器においては、硬貨払出時間を短縮するために、複数の金種の硬貨を２枚または３枚以上同時に払い出すことができるようにした複数金種同時払出可能な硬貨払出装置が提案されている。
　【０００３】
　この従来の複数金種同時払出可能な硬貨払出装置においては、高額金種優先で払出パターンを決定して硬貨を払い出すように構成されている。
　【０００４】
　例えば、
　５００円硬貨　　　１枚
　１００円硬貨　　　２枚
　５０円硬貨　　　　１枚
　１０円硬貨　　　　４枚
の計７９０円の釣銭として払い出す場合において、３金種同時に払出可能な硬貨払出装置においては、
　１回目　　　５００円　１００円　５０円
　２回目　　　１００円　　１０円
　３回目　　　　１０円
　４回目　　　　１０円
　５回目　　　　１０円
のように５回の払出動作により、５００円硬貨１枚、１００円硬貨２枚、５０円硬貨１枚、１０円硬貨４枚の計８枚の硬貨を払い出す。
　【０００５】
　また、同様に
　５００円硬貨　　　１枚
　１００円硬貨　　　２枚
　５０円硬貨　　　　１枚
　１０円硬貨　　　　４枚
の計７９０円の釣銭として払い出す場合において、２金種同時に払出可能な硬貨払出装置においては、
　１回目　　　５００円　１００円
　２回目　　　１００円　　５０円
　３回目　　　　１０円
　４回目　　　　１０円
　５回目　　　　１０円
　６回目　　　　１０円
のように６回の払出動作により、５００円硬貨１枚、１００円硬貨２枚、５０円硬貨１枚、１０円硬貨４枚の計８枚の硬貨を払い出す。
　【０００６】
　【発明が解決しようとする課題】
　ところで、このような高額金種優先の従来の複数金種同時払出可能な硬貨払出装置においては、例えば、低額硬貨の枚数が多いような場合には硬貨払出に要する時間が長くかかるという問題があった。
　【０００７】
　そこで、この発明は、複数金種同時払出可能な硬貨払出装置において硬貨払出に要する時間を短縮するように改良した硬貨払出装置を提供することを目的とする。
　【０００８】
　【課題を解決するための手段】
　上記目的を達成するため、この発明においては、高額金種優先の払出をやめ、金種別枚数の最大の金種の硬貨を優先して払い出すように構成される。
　【０００９】
　すなわち、この発明においては、複数の硬貨を金種別に蓄積する硬貨蓄積部と、前記硬貨蓄積部から予め設定された複数金種の硬貨を同時に払い出すことができる硬貨払出手段とを有する硬貨払出装置において、前記硬貨払出手段から払い出すべき硬貨の金種別枚数を調べ、前記金種別枚数の最大の金種の硬貨を優先する払出パターンを予め設定し、該設定した払出パターンに基づき前記硬貨払出手段を制御する硬貨払出制御手段を具備することを特徴とする。
　【００１０】
　ここで、前記硬貨払出制御手段は、前記硬貨の払出額に対応して払い出すべき硬貨の金種別の払出枚数を決定する払出枚数決定手段と、前記払出枚数決定手段で決定した金種別の払出枚数の中の最大のものに対応する金種を検出する金種検出手段と、前記金種検出手段で検出された金種を優先して払い出す払出パターンを設定する払出パターン設定手段と、前記硬貨払出手段を前記払出パターン設定手段で設定された払出パターンにしたがって各硬貨を払い出すように制御する制御手段とを具備して構成することができる。
　【００１１】
　【作用】
　この発明では、払い出すべき硬貨の金種別枚数を調べ、払い出すべき硬貨の内金種別枚数の最大の金種の硬貨から優先的に払い出すことにより硬貨払出に要する時間を短縮する。
　【００１２】
　すなわち、この発明においては、硬貨の払出額に対応して払い出すべき硬貨の金種別の払出枚数を払出枚数決定手段により決定し、払出枚数決定手段で決定した金種別の払出枚数の中の最大のものに対応する金種を金種検出手段で検出し、金種検出手段で検出された金種を優先して払い出す払出パターンを払出パターン設定手段で設定し、硬貨払出手段を払出パターン設定手段で設定された払出パターンにしたがって各硬貨を払い出すように制御手段により制御する。
　【００１３】
　【実施例】
　以下、この発明に係わる硬貨払出装置の実施例を添付図面を参照して詳細に説明する。
　【００１４】
　図１は、この発明に係わる硬貨払出装置を適用して構成したコインメック部１の一実施例を示したものである。図１において、コインメック部１は、アクセプタ部１００とコインメック本体部２００とから構成される。
　【００１５】
　アクセプタ部１００は、硬貨投入口から投入された硬貨を識別する硬貨識別部１１０、硬貨識別部１１０の識別結果に対応して硬貨識別部１１０を通過した硬貨を正貨と偽貨とに振り分け、正貨をパスセンサ１３０に導き、偽貨を硬貨返却口に導く正偽貨振分部１２０、正偽貨振分部１２０で振り分けられた正貨の通過を検出するパスセンサ１３０、パスセンサ１３０を通過した正貨を金種別に振り分ける金種振分部１４０を具備して構成される。
　【００１６】
　ここで、硬貨識別部１１０は、例えば、複数の硬貨検出コイルから構成される周知の電子式硬貨識別装置を具備して構成され、正偽貨振分部１２０は図示しない正偽貨振分ゲートと該正偽貨振分ゲートを駆動する正偽貨振分ソレノイドとから構成され、パスセンサ１３０は、例えば、コイル等からなる磁気近接スイッチから構成される。
　【００１７】
　また、金種振分部１４０は、釣銭として使用する硬貨を金種別に振り分けるとともに、釣銭として使用しない硬貨をキャッシュボックスに振り分ける動作を行う。　この金種振分部１４０の詳細は図２に示される。ここで、この実施例においては、釣銭として使用する硬貨として、Ａ、Ｂ、Ｃ、Ｄの４種類の硬貨を使用できるように構成されており、金種振分部１４０は、この４種類の硬貨Ａ、Ｂ、Ｃ、Ｄの振分を行うとともに、釣銭として使用しない硬貨をキャッシュボックスに導く振分けを行う。
　【００１８】
　図２において、金種振分部１４０は、パスセンサ１３０からの硬貨を硬貨ＡおよびＢを含む第１のグルーブと硬貨ＣおよびＤを含む第２のグループに振り分けるＡ，Ｂ／Ｃ，Ｄ振分部１４１、Ａ，Ｂ／Ｃ，Ｄ振分部１４１で振り分けられた第２のグループの硬貨をキャッシュボックスに導くか否かの振分を行うキャッシュボックス振分部１４２、Ａ，Ｂ／Ｃ，Ｄ振分部１４１で振り分けられた第１のグルーブの硬貨を硬貨Ａと硬貨Ｂに振り分けるＡ／Ｂ振分部１４３、キャッシュボックス振分部１４２でキャッシュボックスに導かれなかった硬貨を硬貨Ｃと硬貨Ｄとに振り分けるＣ／Ｄ振分部１４４から構成される。
　【００１９】
　ここで、Ａ，Ｂ／Ｃ，Ｄ振分部１４１は、釣銭として使用する硬貨Ａ、Ｂ、Ｃ、Ｄ以外に使用可能な他の種類の硬貨がある場合は、この硬貨を第２のグループに含ませ、また、硬貨Ａ、Ｂ、Ｃ、Ｄのいずれかの種類の硬貨であっても、後述するように、コインメック本体部２００のコインチューブ２１０−１〜２１０−４のいずれかのコインチューブのオーバーフローがオーバーフローセンサ２１１−１〜２１１−４のいずれかで検出されている場合は、この硬貨も第２のグループに含ませるように振り分ける動作を行う。このＡ，Ｂ／Ｃ，Ｄ振分部１４１は図示しない第１の振分ゲートと該第１の振分ゲートを駆動する第１のソレノイドとから構成される。
　【００２０】
　また、キャッシュボックス振分部１４２は、Ａ，Ｂ／Ｃ，Ｄ振分部１４１で振り分けられた第２のグルーブの硬貨をキャッシュボックスに導くかＣ／Ｄ振分部１４４に導くかの振分を行い、Ａ／Ｂ振分部１４３は硬貨Ａと硬貨Ｂに振り分ける動作を行うが、このキャッシュボックス振分部１４２による振分とＡ／Ｂ振分部１４３による振分とは同時に行われることがないので、このキャッシュボックス振分部１４２およびＡ／Ｂ振分部１４３は、キャッシュボックス側に導くかＣ／Ｄ振分部１４４側に導くかの振分を行う第２の振分ゲートと、硬貨Ａと硬貨Ｂとを振り分ける第３の振分ゲートと、この第２の振分ゲートと第３の振分ゲートとを共通に駆動する第２のソレノイドから構成される。この場合、例えば、第２振分ゲートを駆動するために第２のソレノイドをオンした場合、第３の振分ゲートも駆動されるが、これによる不都合は生じない。
　【００２１】
　また、Ｃ／Ｄ振分部１４４は図示しない第４の振分ゲートと該第４の振分ゲートを駆動する第３のソレノイドとから構成される。
　【００２２】
　図１に戻り、コインメック本体部２００は、金種振分部１４０で振り分けられた硬貨Ａ、Ｂ、Ｃ、Ｄをそれぞれ蓄積する４本のコインチューブ２１０−１〜２１０−４、コインチューブ２１０−１〜２１０−４からの硬貨の払出を行い、該払い出された硬貨を硬貨返却口に導く硬貨払出部２２０を具備して構成される。ここで、コインチューブ２１０−１〜２１０−４は、それぞれコインチューブ２１０−１〜２１０−４内の硬貨が一定の下限枚数以下になったこと（この実施例ではこれをエンプティという）を検出するエンプティセンサ２１２−１〜２１２−４およびコインチューブ２１０−１〜２１０−４内の硬貨が一定の上限枚数以上になったこと（この実施例ではこれをオーバーフローという）を検出するオーバーフローセンサ２１１−１〜２１１−４が設けられている。
　【００２３】
　エンプティセンサ２１２−１〜２１２−４およびオーバーフローセンサ２１１−１〜２１１−４は、例えば、それぞれコインチューブ２１０−１〜２１０−４の側壁の所定位置にコインチューブ２１０−１〜２１０−４は挟むようにして配設された発光素子と受光素子とからなる光学的センサから構成される。
　【００２４】
　オーバーフローセンサ２１１−１〜２１１−４によりコインチューブ２１０−１〜２１０−４内の硬貨がオーバーフローしたことが検出されると、図（２）に示したＡ，Ｂ／Ｃ，Ｄ振分部１４１はパスセンサ１３０を通過した硬貨の内オーバーフローが検出されたコインチューブに対応する硬貨をキャッシュボックス振分部１４２側に振り分けるように動作し、キャッシュボックス振分部１４２は、該硬貨をキャッシュボックス側に振り分けるように動作する。
　【００２５】
　ところで、最近の自動販売機システムは、各機能毎にそれぞれ異なるユニットを割り当て機能分散型システムとして構成されている。
　【００２６】
　図３は、このように機能分散型システムとして構成された自動販売機システムの全体構成を示したものである。図３において、このシステムは、主制御部１０を中心にして構成され、この主制御部１０に通信線５０を介してコインメック制御部２０、商品搬送制御部３０、表示制御部４０が接続される。
　【００２７】
　ここで、コインメック制御部２０は、図１に示したコインメック１の制御、すなわち、アクセプタ部１００の制御およびコインチューブ２１０−１〜２１０−４から硬貨を払い出す硬貨払出部２２０の制御等を行い、商品搬送制御部３０は購入された商品の搬送制御を行い、表示制御部４０は投入合計金額の表示および購入商品の選択入力等を行う。
　【００２８】
　ところで、この実施例の硬貨払出部２２０は、複数金種の硬貨を２枚または３枚同時に払出可能なように構成されており、図３に示したコインメック制御部２０は、主制御部１０から、例えば、釣銭払出額を示す情報を受けると、この釣銭払出額に相当する硬貨を払い出すための払出パターンを決定し、この払出パターンにしたがってコインチューブ２１０−１〜２１０−４から硬貨を払い出すように構成されている。
　【００２９】
　図４は、コインメック制御部２０における硬貨払出制御に関する処理をフローチャートで示したものである。図４において、コインメック制御部２０は、主制御部１０から払出額を示す情報を受けると、払出額に相当する金種別枚数を決定する（ステップ３０１）。この金種別枚数の決定は、払出額とコインチューブ２１０−１〜２１０−４内の硬貨の残量、すなわちエンプティセンサ２１２−１〜２１２−４の出力を参照して決定される。
　【００３０】
　次に、ステップ３０１で決定した金種別枚数の中で、枚数が最大の金種を調べる（ステップ３０２）。そして、この枚数が最大の金種を優先する払出パターンを決定する（ステップ３０３）。
　【００３１】
　ステップ３０３で金種別枚数が最大の金種を優先する払出パターンが決定されると、コインメック制御部２０は、この払出パターンにしたがって硬貨払出部２２０を制御し、コインチューブ２１０−１〜２１０−４から硬貨を払い出す。
　【００３２】
　例えば、従来で説明したように、７９０円の釣銭を払い出す場合、ステップ３０１において、払出額に相当する金種別枚数が
　５００円硬貨　　　１枚
　１００円硬貨　　　２枚
　５０円硬貨　　　　１枚
　１０円硬貨　　　　４枚
と決定された場合、ステップ３０２において金種別枚数の中で、枚数が最大の金種は１０円であることが分かるので、この場合、硬貨払出部２２０における同時に払出可能な枚数が３枚であるとすると、ステップ３０３において、この１０円を優先する払出パターン
　１回目　　　５００円　１００円　１０円
　２回目　　　１００円　　５０円　１０円
　３回目　　　　１０円
　４回目　　　　１０円
が決定され、コインメック制御部２０は、この払出パターンにしたがって硬貨払出部２２０を制御し、硬貨払出が行われる。
　【００３３】
　すなわち、従来の高額金種優先の払出パターンにおいては、同一条件において前述したように５回の払出動作が必要であったのに、この実施例による装置によると、４回の払出動作で釣銭払出が完了することになり、釣銭払出時間が短縮される。
　【００３４】
　また、硬貨払出部２２０における同時に払出可能な枚数が２枚であるとすると、ステップ３０３において、この１０円を優先する払出パターン
　１回目　　　１００円　１０円
　２回目　　　１００円　１０円
　３回目　　　５００円　１０円
　４回目　　　　５０円　１０円
が決定され、コインメック制御部２０は、この払出パターンにしたがって硬貨払出部２２０を制御し、硬貨払出が行われる。
　【００３５】
　すなわち、従来の高額金種優先の払出パターンにおいては、同一条件において前述したように６回の払出動作が必要であったのに、この実施例による装置によると、４回の払出動作で釣銭払出が完了することになり、釣銭払出時間が短縮される。
　【発明の効果】
　以上説明したように、この発明によれば、払い出すべき硬貨の金種別枚数を調べ、払い出すべき硬貨の内金種別枚数の最大の金種の硬貨から優先的に払い出すように構成したので、複数金種同時払出可能な硬貨払出装置において硬貨払出に要する時間を従来の装置に比較して短縮することができるという効果を奏する。
【図面の簡単な説明】
　【図１】
　この発明に係わる硬貨払出装置を適用して構成したコインメック部の一実施例を示したブロック図。
　【図２】
　図１に示したアクセプタ部の金種振分部の詳細構成を示した図。
　【図３】
　機能分散型システムとして構成された自動販売機システムの全体構成を示したブロック図。
　【図４】
　図１に示したコインメック制御部における硬貨払出に関する処理を示したフローチャート。
　【符号の説明】
　１　　コインメック部
　１０　　主制御部
　２０　　コインメック制御部
　３０　　商品搬送制御部
　４０　　表示制御部
　５０　　通信線
　１００　　アクセプタ部
　１１０　　硬貨識別部
　１２０　　正偽貨振分部
　１３０　　パスセンサ
　１４０　　金種振分部
　１４１　　Ａ，Ｂ／Ｃ，Ｄ振分部
　１４２　　キャッシュボックス振分部
　１４３　　Ａ／Ｂ振分部
　１４４　　Ｃ／Ｄ振分部
　２００　　コインメック本体部
　２１０−１〜２１０−４　　コインチューブ
　２１１−１〜２１１−４　　オーバーフローセンサ
　２１２−１〜２１２−４　　エンプティセンサ
　２２０　　硬貨払出部